(57)【要約】【課題】眼鏡を装着位置に安定的に保持することができる緩衝機能を備えた眼鏡支持枠を、一枚のプラスチックシートを折り曲げて組み立て可能に構成し、これを透明な包装ケースに収納して眼鏡を見栄え良く展示する。【解決手段】眼鏡支持枠用のシートを、正面部（２１）の両側に縦折れ線（２２，２２）を挟んで左右側面部（２３，２４）が設け、左右側面部（２３，２４）の上下に幅広面部（２３ａ，２３ｂ，２４ａ，２４ｂ）を設け、左右側面部（２３，２４）の下部に横折れ線（２５，２５）を挟んで底面片部（２６ａ，２６ａ）を設けるとともに、正面部（２１）の上下縁部（２１ａ，２１ｂ）に眼鏡（Ｇ）の左右の丁番部分（Ｇｈ，Ｇｈ）が係合する凹部（２７，２７）を設け、両底面片部（２６ａ，２６ａ）の側部には互いに係合する係合部（２６ｂ，２６ｂ）を設けた形状にて形成し、前記折れ線でシートを折り曲げて眼鏡支持枠（２）を組み立てる。する。【選択図】図２
2015193391.tif 000002
【特許請求の範囲】
【請求項１】
表面に折れ線が形成された所定形状のプラスチックシートであって折れ線に沿ってシートを折り曲げることにより眼鏡を支持する支持枠に組み立てられる眼鏡支持枠用シートにおいて、
正面部（２１）の両側に縦折れ線（２２，２２）を挟んで左右側面部（２３，２４）が設けられ、
左右側面部（２３，２４）はその下部が正面部（２１）の下側縁部（２１ｂ）よりも下方へ突出する長さに設けられ、且つ左右側面部（２３，２４）の一方又は両方の前記正面部（２１）の下側縁部（２１ｂ）より下側の部分に、シート内方へ突出した下側幅広面部（２３ｂ及び／又は２４ｂ）が設けられ、
左右側面部（２３，２４）の下部に横折れ線（２５，２５）を挟んで底面片部（２６ａ，２６ａ）がそれぞれ設けられているとともに、
正面部（２１）の上下縁部（２１ａ，２１ｂ）に眼鏡（Ｇ）の左右の丁番部分（Ｇｈ，Ｇｈ）が係合する凹部（２７，２７）がそれぞれ形成され、両底面片部（２６ａ，２６ａ）の側部には互いに係合する係合部（２６ｂ，２６ｂ）が形成されてなる構成を有することを特徴とする眼鏡支持枠用シート。
【請求項２】
左右側面部（２３，２４）の一方又は両方の上部に、正面部（２１）の上側縁部（２１ａ）よりも上方でシート内方へ突出した上側幅広面部（２３ａ及び／又は２４ａ）が設けられた構成を有することを特徴とする請求項１に記載の眼鏡支持枠用シート。
【請求項３】
左側面部（２３）の側端部と正面部（２１）との境界である縦折れ線（２２）との間の幅（ＷＬ）と、右側面部（２４）の側端部と正面部（２１）との境界である縦折れ線（２２）との間の幅（ＷＲ）を異なる大きさ（ＷＲ＞ＷＬ、又はＷＬ＞ＷＲ）に設定した構成を有することを特徴とする請求項１又は２に記載の眼鏡支持枠用シート。
【請求項４】
請求項１〜３の何れかに記載の眼鏡支持枠用シートを、その正面部（２１）の両側で縦折れ線（２２，２２）に沿って左右側面部（２３，２４）を折り曲げて正面部（２１）の両側で対向させるとともに、左右側面部（２３，２４）の下側で横折れ線（２５，２５）に沿って両底面片部（２６ａ，２６ａ）を上向きに折り曲げ、且つ係合部（２６ｂ，２６ｂ）を互いに係合させて両底面片部（２６ａ，２６ａ）を接続して底面部（２６）を形成することにより組み立てられる構成を有することを特徴とする眼鏡支持枠（２）。
【請求項５】
請求項４に記載の眼鏡支持枠（２）と、
組み立てられた眼鏡支持枠（２）の正面部（２１）と底面部（２６）の間の空間部に嵌る筒枠部（３１）及び当該筒枠部（３１）の後面部から上方へ一体に突出しいていて眼鏡支持枠（２）の正面部（２１）の上下縁部間の長さよりも長い枠面部（３２）を有する台枠（３）とを備え、
眼鏡支持枠（２）の後方から前記正面部（２１）と底面部（２６）の間の空間部に台枠（３）の筒枠部（３１）を嵌め入れて組み立てられる構成を有することを特徴とする眼鏡支持台（４）。
【請求項６】
開閉蓋部を備えた六面箱形の本体ケース（５）内に、請求項４の眼鏡支持枠（２）又は請求項５に記載の眼鏡支持台（４）を収納して構成される眼鏡用包装ケース。
【請求項７】
請求項６に記載の眼鏡用包装ケースに眼鏡が収納されてなる包装体（１）。
【発明の詳細な説明】
【技術分野】
【０００１】
本発明は、プラスチックシートを所定形状に打ち抜き、その表面に形成された折れ線に沿って折り曲げて組み立てられる眼鏡を支持するための支持枠、これを組み立てるためのシートの構造、及び支持枠で支持された眼鏡を収納して販売や展示に供するのに好適な眼鏡用の包装ケースに関する。
【背景技術】
【０００２】
眼鏡売り場で眼鏡を展示し販売する形態として、例えば図１０（Ａ）に示されるように、表面に孔部１００ａ，１００ａ、一側の端部に凹部１００ｂがそれぞれ形成されていて他側の端部に吊り下げフック１００ｃが取り付けられた可撓性を有する矩形状のシート材を眼鏡Ｇの展示板１００として用い、商品である眼鏡Ｇをその一方のテンプルＧｔを孔部１００ａ，１００ａに通し、眼鏡Ｇの丁番部分Ｇｈを凹部１００ｂに係合させて展示板１００に装着し、この展示板１００を、同図（Ｂ）に示されるように、陳列具１０１の吊り棒１０１ａに吊下げて展示販売する態様のものが知られている（例えば特許文献１参照）。
【先行技術文献】
【特許文献】
【０００３】
【特許文献１】実用新案登録第３１５６９８５号公報
【発明の概要】
【発明が解決しようとする課題】
【０００４】
図示した態様のものは、展示板１００の二つの孔部１００ａ，１００ａにテンプルＧｔを通して眼鏡Ｇが装着されているので、陳列具１０１で展示しているときに眼鏡Ｇが展示板１００から抜け落ちるようなことはなく、省スペースで多数の眼鏡Ｇを陳列することができるとともに、お客が好みの眼鏡Ｇを陳列具１０１から取り外し、眼鏡Ｇの品質を手元で直に確認することができるという利点を有する。
しかし、眼鏡Ｇが展示板１００に剥き出しに装着されているので展示中に汚れが付きやすく、また、陳列した眼鏡Ｇに物がぶつかったり擦れたり、或いは吊り棒１０１ａから展示板１００が外れて床面に落下したりして、眼鏡Ｇに傷を付けて商品価値の低下を引き起こしやすいという実用上の問題がある。
【０００５】
この場合、透明な包装ケースに眼鏡Ｇが装着された展示板１００を収納して展示すれば眼鏡Ｇに汚れが付着することはないが、包装ケース内部で展示板１００が固定されていないと、運搬中に受ける衝撃や振動で包装ケース内部の展示板１００の収納位置がずれ、眼鏡ＧのレンズＧｌがケース内面に当って擦り傷を付けてしまうなど、眼鏡Ｇに傷を付けやすいことに変わりはない。
包装ケースに収納するときには、展示板１００とともに緩衝材や仕切り材を収納したり粘着テープやステープラーなどの固定手段で展示板１００を固定したりして、ケース内部で眼鏡Ｇを固定するとともに、ケース外側から受ける衝撃が眼鏡Ｇに加わらないようにするための手段を講じる必要がある。
【０００６】
本発明は従来技術の有するこのような問題点に鑑み、眼鏡を装着位置に安定的に保持することができる緩衝機能を備えた眼鏡支持枠を、一枚のプラスチックシートを折り曲げて組み立て可能に構成し、これを透明な包装ケースに収納して眼鏡を見栄え良く展示することができるようにすることを課題とする。
【課題を解決するための手段】
【０００７】
前記課題を解決するため本発明は、表面に折れ線が形成された所定形状のプラスチックシートであって折れ線に沿ってシートを折り曲げることにより眼鏡を支持する支持枠に組み立てられる眼鏡支持枠用シートにおいて、
正面部の両側に縦折れ線を挟んで左右側面部が設けられ、
左右側面部はその下部が正面部の下側縁部よりも下方へ突出する長さに設けられ、且つ左右側面部の一方又は両方の前記正面部の下側縁部より下側の部分に、シート内方へ突出した下側幅広面部が設けられ、
左右側面部の下部に横折れ線を挟んで底面片部がそれぞれ設けられているとともに、
正面部の上下縁部に眼鏡の左右の丁番部分が係合する凹部がそれぞれ形成され、両底面片部の側部には互いに係合する係合部が形成されてなる構成を有することを特徴とする。
前記構成の眼鏡支持枠用シートにおいて、左右側面部の一方又は両方の上部に、正面部の上側縁部よりも上方でシート内方へ突出した上側幅広面部が設けられた構成を有することが好ましい。
【０００８】
前記構成のシートは、その正面部の両側で縦折れ線に沿って左右側面部を折り曲げて正面部の両側で対向させるとともに、左右側面部の下側で横折れ線に沿って両底面片部を上向きに折り曲げ、且つ係合部を互いに係合させて両底面片部を接続して底面部を形成することにより眼鏡支持枠に組み立てることができる。底面片同士の係合部を粘着テープなどの定着手段で留め付けてもよい。
そして、眼鏡支持枠の正面部の上下縁部に形成された凹部に、眼鏡の左右の丁番部分を差し入れてそれぞれ係合させるとともに、眼鏡の左右のテンプルを正面部の裏面側に折り重ねることで、眼鏡支持枠の正面部の表面に沿って眼鏡を縦向きにして支持させることができる。
また、前記構成の眼鏡支持枠と、組み立てられた眼鏡支持枠の正面部と底面部の間の空間部に嵌る筒枠部及び当該筒枠部の後面部から上方へ一体に突出しいていて眼鏡支持枠の正面部の上下縁部間の長さよりも長い枠面部を有する台枠を揃えておき、眼鏡支持枠の後方から前記正面部と底面部の間の空間部に台枠の筒枠部を嵌め入れて眼鏡支持台を構成し、前記の如く眼鏡支持枠に装着した眼鏡を眼鏡支持台で支持させるようにしてもよい。
【０００９】
これによれば、眼鏡支持枠の正面部の上下縁部の凹部に眼鏡の左右の丁番部分を係合させて正面部に装着することで、正面部の表面に眼鏡を安定的に保持することができる。眼鏡の左右の丁番部分が正面部の上下の凹部にそれぞれ係合しているので、眼鏡を支持させた眼鏡支持枠が斜めに傾いたとしても眼鏡の位置がずれるようなことはなく、眼鏡は当初の装着位置に保持される。
また、前記構成のシートを折り曲げて組み立てられた眼鏡支持枠は、正面部の両側で左右側面部が略垂直に折れて前方へ突出し、また、左右側面部の両方又は一方に設けられた下側幅広面部又は上側幅広面部が後方へ突出しているので、これら正面部の前後に突出した各面部が仕切り板として機能し、例えば眼鏡が支持された眼鏡支持枠や眼鏡支持台を床面に立てて置いた状態から前後左右の何れかの方向に倒れたとしても、正面部の周囲に突出して空間を仕切る前記各面部が床面に接して、眼鏡が床面に当るようなことはなく、倒れたときに眼鏡の装着位置がずれるようなこともない。
【００１０】
そして、眼鏡が支持された眼鏡支持枠又は眼鏡支持台を、開閉蓋部を備えた六面箱形の本体ケース内に収納して包装体を構成し、この包装体を眼鏡売り場の陳列台などに並べて展示販売に供することができる。
これによれば、前記の通り、眼鏡支持枠はその正面部の両側で左右側面部が前方へ、上側幅広面部又は下側幅広面部が後方へそれぞれ突出した形状に組み立てられ、これら各面部で眼鏡を保持する正面部の周囲が囲われるので、本体ケースに収納した状態で、本体ケース内面にこれら各面部が当接し又は接合して、正面部に装着された眼鏡と本体ケース内面との間に所定の距離の空間が確保され、運搬中や展示中に包装体に衝撃や振動が加わったり、或いは包装体が傾いたり倒れたりしても、眼鏡が本体ケース内面にぶつかったり眼鏡のレンズが本体ケース内面に擦れたりするようなことはなく、眼鏡を正面部表面の当初の装着位置に保持することができる。
この場合、本体ケースに収納した眼鏡支持枠又は眼鏡支持台が本体ケース内でガタつくことを防止するため、前記構成のシートにおける正面部の幅（Ｗ１）は本体ケースの前後面部の内面の幅（Ｗ１）と、左右側面部の上側幅広面部と下側幅広面部の幅（Ｗ２）は本体ケースの左右側面部の内面の幅（Ｗ２）と、左右側面部の上下縁部間の長さ（Ｈ）は本体ケースの上下の内面間の高さ（Ｈ）と各々略同一に設定し（図２参照）、眼鏡支持枠又は眼鏡支持台が本体ケース内に略隙間なくすっぽりと嵌るように設けることが好ましい。
【００１１】
さらに、前記構成のシートにおいて、左側面部の側端部と正面部との境界である縦折れ線との間の幅（ＷＬ）と、右側面部の側端部と正面部との境界である縦折れ線との間の幅（ＷＲ）を異なる大きさ（ＷＲ＞ＷＬ、又はＷＬ＞ＷＲ）に設定してあることが好ましい。
眼鏡をその左右の丁番部分を眼鏡支持枠の正面部の上下縁部の凹部に係合させて正面部に装着すると、眼鏡のノーズパッドが正面部の表面に当るため、眼鏡はそのレンズを正面部に対して若干傾けて支持される。本体ケースに収納した状態で、本体ケースの前面部と眼鏡支持枠の正面部が平行であると、本体ケースの前面部から眼鏡を見たときに、ノーズパッドが正面部に当っている分眼鏡が傾くため、恰も鼻が低い人が眼鏡をかけたような、或いは眼鏡をかけた人が目線から眼鏡を下にずらしたような状態を想起させ、収納した眼鏡自体の見栄えが悪くなってしまう。
そこで、前記のように、眼鏡支持枠の縦折れ線に沿った左右側面部の幅を左右で異ならせ、眼鏡支持枠を本体ケースに収納した状態で、本体ケースの前面部に対して眼鏡支持枠の正面部が傾斜した配置となるようにすることで、正面部に対して傾いて支持された眼鏡のレンズが、本体ケースの前面部に対しては略平行となるため、本体ケースの前面部から眼鏡を見たときに、真っ直ぐに配置された眼鏡のレンズを視認することができ、収納した眼鏡の見栄えを良好にすることができる（図７参照）。
【００１２】
前記構成において、眼鏡支持枠用シートと本体ケースを構成するプラスチックシートの材質としては、耐折性が良好なポリエステル、ポリプロピレン、ポリエチレン、ポリカーボネート、或いはポリ乳酸などの生物由来性樹脂、その他の樹脂単体又はこれらの複合体からなるプラスチックシートを用いることができる。特にポリエステル製のシートは、透明性が良好で剛性が高い点で好ましく、中でも未延伸のポリエステル製シートは、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートの表面に形成される、折れ線である折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
台枠は、紙製の薄いシートを折り曲げて形成することができ、また、眼鏡支持枠や本体ケースと同様にプラスチックシートを折り曲げて形成することもできる。
【図面の簡単な説明】
【００１３】
【図１】本発明の一実施形態の包装体の外観図である。
【図２】図１の包装体を構成する眼鏡支持台と本体ケースの外観図である。
【図３】眼鏡支持枠のシート展開図である。
【図４】図３のシートを折り曲げて組み立てられた眼鏡支持枠の外観図である。
【図５】台枠の外観図である。
【図６】眼鏡支持台の側面図である
【図７】図１の包装体の本体ケースの上蓋を開けた状態の内部構成を示した図である。
【図８】本発明の他の実施形態の包装体の外観図である。
【図９】（Ａ），(Ｂ）は他の眼鏡支持枠のシート展開図である。
【図１０】（Ａ），（Ｂ）は従来の眼鏡の展示態様を示した図である。
【発明を実施するための形態】
【００１４】
本発明の好適な実施形態を図面に基づいて説明する。
図１は本発明の一実施形態の包装体の外観を示しており、この包装体１は、図２に示されるように、透明なプラスチック製のシートを折り曲げて組み立てられる眼鏡支持枠２と紙製のシートにより組み立てられる台枠３とで眼鏡Ｇを支持する眼鏡支持台４を構成し、眼鏡Ｇを支持した眼鏡支持台４を透明なプラスチック製のシートを折り曲げて組み立てられる本体ケース５に収納して、ケース内部に収納された眼鏡Ｇが展示販売に供されるように構成したものである。
【００１５】
図２は眼鏡支持枠２に組み立てられるシートの展開図であり、このシートは、  正面部２１の両側に平行な縦折れ線２２，２２を挟んで左右側面部２３，２４をそれぞれ設け、正面部２１の上側縁部２１ａの上方にスリットを挟んで、左右側面部２３，２４の上部であってシート内方へ突出した上側幅広面部２３ａ，２４ａを設け、正面部２１の下側縁部２１ｂの上方にスリットを挟んで、左右側面部２３，２４の下部であってシート内方へ突出した下側幅広面部２３ｂ，２４ｂを設け、左右側面部２３，２４の下部には、横折れ線２５，２５を挟んで底面片部２６ａ，２６ａをそれぞれ設けるとともに、正面部２１の上下縁部２１ａ，２１ｂに眼鏡Ｇの左右の丁番部分Ｇｈ，Ｇｈが係合する凹部２６，２６をそれぞれ設け、両底面片部２６ａ，２６ａの側部には互いに係合する係合部２６ｂ，２６ｂをそれぞれ設けた形状に形成してある。なお、図２はシートの表面側を示し、縦折れ線２２，２２と横折れ線２５，２５はシートの裏面側に形成してある。
【００１６】
詳しくは、正面部２１の上下縁部２１ａ，２１ｂに設けた凹部２７，２７は、眼鏡Ｇの左右のテンプルＧｔ，Ｇｔを正面部２１の裏面側に通し、且つ眼鏡Ｇの左右の丁番部分Ｇｈ，Ｇｈが両凹部２７，２７の縁部に係合する配置に設けてある。
また、正面部の幅（Ｗ１）は後述する本体ケース５の前後面部の内面の幅（Ｗ１）と、左右側面部２３，２４の上側幅広面部２３ａ，２４ａと下側幅広面部２３ｂ，２４ｂの幅（Ｗ２）は本体ケース５の左右側面部の内面の幅（Ｗ２）と、左右側面部２３，２４の上下縁部間の長さ（Ｈ）、すなわち横折れ線２５，２５から上側幅広面部２３ａ，２４ａまでの長さは本体ケース５の上下の内面間の高さ（Ｈ）と各々略同一に設定してある（図２参照）。
さらに、左側面部２３の側端部と正面部２１との境界である縦折れ線２２との間の幅（ＷＬ）と、右側面部２４の側端部と正面部２１との境界である縦折れ線２２との間の幅（ＷＲ）は、前者の方を後者よりも大きく設定してある（ＷＲ＞ＷＬ）。
【００１７】
図３に示された眼鏡保持枠用野シートは、その正面部２１の両側で縦折れ線２２，２２に沿って左右側面部２３，２４を正面部２１の前方へ略垂直に折り曲げて正面部２１の両側で対向させるとともに、左右側面部２３，２４の下側で横折れ線２５，２５に沿って両底面片部２６ａ，２６ａを上向きに折り曲げ、且つ係合部２６ｂ、２６ｂを互いに係合させて両底面片部２６ａ，２６ａを接続して底面部２６を形成することにより、図４に示される形態の眼鏡支持枠２に組み立てることができる。
そして、眼鏡支持枠２の正面部２１の上下縁部に形成された凹部２７，２７に、眼鏡Ｇの左右の丁番部分Ｇｈ，Ｇｈを差し入れてそれぞれ係合させるとともに、眼鏡Ｇの左右のテンプルＧｔ，Ｇｔを正面部２１の裏面側に折り重ねることで、眼鏡支持枠２の正面部２１の表面に沿って眼鏡Ｇを縦向きにして支持させることができるようになっている。
【００１８】
組み立てられた眼鏡支持枠２は、正面部２１の両側で左右側面部２３，２４が略垂直に折れて前方へ突出し、また、左右側面部２３，２４に設けられた上側幅広面部２３ａ，２４ａと下側幅広面部２３ｂ，２４ｂが後方へ突出しているので、これら正面部２１の前後に突出した各面部が仕切り板として機能し、眼鏡Ｇが支持された眼鏡支持枠２が載置面上に立てて置いた状態から前後左右の何れかの方向に倒れたとしても、正面部２１の周囲に突出して空間を仕切る前記各面部が載置面に接して、眼鏡Ｇが載置面に当るようなことはなく、倒れたときに眼鏡Ｇの装着位置がずれるようなこともない。また、眼鏡Ｇの左右の丁番部分Ｇｈ，Ｇｈが正面部２１の上下の凹部２７，２７にそれぞれ係合しているので、眼鏡Ｇを支持させた眼鏡支持枠２が斜めに傾いたとしても眼鏡Ｇの位置がずれるようなことはなく、眼鏡Ｇを当初の装着位置に保持することができる。
【００１９】
図３は眼鏡支持枠２とともに眼鏡支持台４を構成する台枠を示しており、この台枠３は、帯状の紙製シートを折り曲げてなり、前記眼鏡支持枠２の正面部２１と底面部２６の間の空間部に嵌る筒枠部３１の後面部に、眼鏡支持枠２の左右側面部２３，２４と略同じ長さ（Ｈ）の枠面部３２を上方へ一体に突出させた形状に設けてある。
台枠３は、その枠面部３２に眼鏡Ｇの品名や型番、広告、装飾模様などを表示するなどして包装体１の意匠性を高めたり、眼鏡Ｇの説明書などを筒枠部３１内に入れて一緒に梱包したりするために用いられ、図６に示されるように、眼鏡支持枠３の後方から前記正面部２１と底面部２６の間の空間部に台枠３の筒枠部３１を嵌め入れて、眼鏡支持枠３に組み付けることで眼鏡支持台４が構成される。眼鏡支持枠３に台枠３を組み付けることで、眼鏡支持枠３の設置安定性が増す効果もある。
【００２０】
本体ケース５は、折れ線が形成された所定形状のプラスチックシートを折り曲げて組み立てられる、開閉自在な上蓋と底蓋を有する六面箱形のケースであり、図２に示されるように、閉じた底蓋を粘着テープなどで留め付けた状態で上蓋を開口し、その中に眼鏡Ｇを支持した眼鏡支持台４を収納し、上蓋を閉じ合せて内部を密閉することで包装体１が構成される。
【００２１】
本体ケース５内で眼鏡支持台４は、眼鏡支持枠２の底面部２６が本体ケース５の底蓋内面に、眼鏡支持枠２の左右側面部２３，２４が本体ケース５の左右側面部の内面にそれぞれ接合するとともに、眼鏡支持枠２の左右側面部２３，２４の下側幅広面部２３ｂ，２４ｂの横折れ線２５，２５に沿った端部が本体ケース５の底蓋内面に、眼鏡支持枠２の左右側面部２３，２４の上側幅広面部２３ａ，２４ａの端部と枠台３の枠面部３２の上端が本体ケース５の上蓋内面にそれぞれ当接して、本体ケースの内側に略一杯にガタつくことなく収納される。
そして、前記の如く、眼鏡支持枠２の正面部２１の周囲を囲う各面部が仕切り板として機能するため、眼鏡支持枠２の正面部２１に装着された眼鏡Ｇと本体ケース５の内面との間には、所定の距離の空間が確保され、運搬中や展示中に包装体１に衝撃や振動が加わったり、或いは包装体１が傾いたり倒れたりしても、眼鏡Ｇが本体ケース５の内面にぶつかったり眼鏡Ｇのレンズが本体ケース５の内面に擦れたりするようなことはなく、眼鏡Ｇを正面部２１表面の当初の装着位置に保持することが可能である。
【００２２】
また、眼鏡支持枠２の正面部２１の両側における左側面部２３の幅（ＷＬ）と右側面部の幅（ＷＲ）は異ならせ、前者の幅を後者よりも大きく設定してあるので（ＷＲ＞ＷＬ）、図７に示されるように、本体ケース５に収納した状態で、本体ケース５の前面部に対して眼鏡支持枠２の正面部２１が傾斜した配置となり、正面部２１に対して傾いて支持された眼鏡ＧのレンズＧｌが、本体ケース５の前面部に対しては略平行となって、本体ケース５の前面部から眼鏡Ｇを見たときに、真っ直ぐに配置された眼鏡ＧのレンズＧｌを視認することができ、収納した眼鏡Ｇの見栄えを良好にすることができる。
【００２３】
図８は本発明の他の実施形態の包装体１であり、これは、台枠３を用いることなく、眼鏡Ｇを支持した眼鏡支持枠２のみを本体ケース１に収納して構成したものである。
また、図９は眼鏡支持枠２を構成するシートの変形例を示し、同図（Ａ）は左右側面部２３，２４に上側幅広面部２３ａ，２４ａを設けずに構成したもの、同図（Ｂ）は上側幅広面部２３ａを左側面部２３にのみに設け、且つ下側幅広面部２４ｂを右側面部２４にのみ設けて構成したものである。このようなシート構成であっても、眼鏡支持枠２を本体ケース５に収納した状態で緩衝機能を発揮し、眼鏡支持枠２に支持させた眼鏡Ｇを当初の装着位置に保持することが可能である。
【００２４】
なお、眼鏡支持枠２に装着する眼鏡Ｇの向きを、図示した形態とは反対にするときには、左側面部２３の幅（ＷＬ）を小さく、それよりも右側面部の幅（ＷＲ）を大きくすれば（ＷＲ＞ＷＬ）、装着した眼鏡ＧのレンズＧｌの向きが本体ケース５の前面部と平行になって展示の見栄えが良くなる。
また、図示した眼鏡支持枠２、台枠３、眼鏡支持台４、本体ケース５及び包装体１は、本発明の実施形態の一例を示すものであり、本発明はこれに限定されず、収納する眼鏡の種類や寸法、形状などに応じて適宜な形態で構成することが可能である。
【符号の説明】
【００２５】
１  包装体、２  眼鏡支持枠、２１  正面部、２２  縦折れ線、２３  左側面部、２４  右側面部、２５  横折れ線、２６  底面部、２７  凹部、３  台枠、３１  筒枠部、３２  枠面部、４  眼鏡支持台、５  本体ケース
【図１】
2015193391.tif 000003
【図２】
2015193391.tif 000004
【図３】
2015193391.tif 000005
【図４】
2015193391.tif 000006
【図５】
2015193391.tif 000007
【図６】
2015193391.tif 000008
【図７】
2015193391.tif 000009
【図８】
2015193391.tif 000010
【図９】
2015193391.tif 000011
【図１０】
2015193391.tif 000012